(57)【要約】【課題】足への締め付け力を容易に調整することができ、かつ、装着する際や装着後における違和感を緩和できる靴下を提供することを課題とする。【解決手段】足Ｌを挿入する履き口１ｄが形成された脚部１ｃに、前記履き口１ｄから踵部１ｂ若しくは甲部１ａへ向けて漸次狭まる略Ｖ字状の幅調整領域Ａを設けるとともに、この幅調整領域Ａの近傍に、この幅調整領域Ａを折り畳んで保持することにより、前記履き口１ｄの内径を調整する係止手段３を設けてなることを特徴とする。【選択図】図１
0003201158.tif 000002
【実用新案登録請求の範囲】
【請求項１】
足を挿入する履き口が形成された脚部に、前記履き口から踵部若しくは甲部へ向けて漸次狭まる略Ｖ字状の幅調整領域を設けるとともに、この幅調整領域の近傍に、この幅調整領域を折り畳んで保持することにより、前記履き口の内径を調整する係止手段を設けてなることを特徴とする靴下。
【請求項２】
前記幅調整領域の両側部に、上下方向に間隔をおいて複数の孔を形成しておき、幅調整紐を、一側部側に形成された前記孔と他側部に形成された孔とに交互に挿通させることによって前記係止手段を構成してなることを特徴とする請求項１に記載の靴下。
【請求項３】
前記係止手段を、面ファスナーによって構成してなることを特徴とする請求項１に記載の靴下。
【請求項４】
前記係止手段を、小鉤によって構成してなることを特徴とする請求項１に記載の靴下。
【考案の詳細な説明】
【技術分野】
【０００１】
本考案は靴下に係わり、特に、足に装着した際に、履き口回りをその弾性によって前記足に密着させることにより、ずれ落ちることを防止するようにした靴下に関する。
【背景技術】
【０００２】
一般に、靴下は、履き口回りに弾性が与えられており、この弾性により、前記履き口回りを足に密着させて、靴下がずれ落ちることを防止するようになっている。
【０００３】
ところで、このような靴下にあっては、装着される足の大きさと履き口の大きさとが合わないと、足に過度の締め付け力が作用したり、あるいは、弛みが生じてずれてしまうことがある。
【０００４】
このような不具合に対し、従来では、たとえば特許文献１に示されるような技術が提案されている。
【０００５】
この技術は、靴下の履き口の周縁の一部に、上方に開口した切り欠きを設けておくとともに、この切り欠きを跨ぐように締め付けシートを装着しておき、前記切り欠きの幅を調整して前記履き口の内径を調整し、この調整位置を、前記切り欠きを跨いで固定される前記締め付けシートで固定して、前記履き口における足の締め付け力を調整するようにしている。
【先行技術文献】
【特許文献】
【０００６】
【特許文献１】特開２０１２−１２２１７８号公報
【考案の概要】
【考案が解決しようとする課題】
【０００７】
前述した従来の技術では、靴下の履き口に設けられた切り欠きの幅を調整することによって、この履き口における締め付け力を調整するようにしている。
そして、前記切り欠きは、履き口において、上方に向けて開口させられている。
【０００８】
このように、履き口に上方へ向け開口された切り欠きが設けられていると、靴下を履く際に、前記切り欠きにおいて引っ掛かりが生じることにより、履きづらい。
【０００９】
また、靴下を履いた状態で履き口の寸法調整を行なう場合、前記切り欠きの内周縁が足に引っ掛かり、また、調整位置を固定する締め付けシートが、前記切り欠きを跨いで固定されることから、この締め付けシートが直接足に接触することから、装着時に違和感を与えてしまう。
【００１０】
本考案は、前述した従来の技術において残されている問題点に鑑みてなされたもので、足への締め付け力を容易に調整することができ、かつ、装着する際や装着後における違和感を緩和できる靴下を提供することを解決すべき課題とする。
【課題を解決するための手段】
【００１１】
本考案の靴下は、前述した課題を解決するために、足を挿入する履き口が形成された脚部に、前記履き口から踵部若しくは甲部へ向けて漸次狭まる略Ｖ字状の幅調整領域を設けるとともに、この幅調整領域の近傍に、この幅調整領域を折り畳んで保持することにより、前記履き口の内径を調整する係止手段を設けてなることを特徴とする。
【００１２】
本考案の靴下は、前記係止手段を開放しておくことにより、前記幅調整領域の拘束を解除して、履き口から挿入される足の移動を円滑に許容する。
また、前記幅調整領域を前記脚部の一部として構成して、この脚部内面を連続面としていることから、挿入される足との引っ掛かりがなく、この点からも足への装着を円滑にする。
【００１３】
そして、足を挿入した後に、この足に応じて前記幅調整領域の幅を調整することにより、前記履き口における足の締め付け力を調整することができる。
【００１４】
すなわち、まず、係止部材を開放して履き口を広げておき、この履き口から足を挿入した後に、前記幅調整領域の余長分を折り畳むことにより、この幅調整領域の幅を足に合わせて調整する。
【００１５】
ついで、折り畳まれた前記幅調整領域を、前記係止部材によって保持することにより、前記履き口を前記足回りに馴染ませて保持することができる。
【００１６】
このような前記履き口の締め付け力調整操作に際して、前記幅調整領域が脚部の一部として形成されていることから、前記脚部内面が、挿入されている足にほぼ全周にわたって面接触させられる。
【００１７】
したがって、前述した締め付け力調整操作時にあっても、前記脚部と足との引っ掛かりがなく、円滑な操作を行なうことができるとともに、装着時における足との接触を良好なものとして違和感を抑制することができる。
【００１８】
そして、前記幅調整領域の両側部に、上下方向に間隔をおいて複数の孔を形成しておき、幅調整紐を、一側部側に形成された前記孔と他側部に形成された孔とに交互に挿通させることによって前記係止手段を構成することができる。
【００１９】
また、前記係止手段を、面ファスナーや小鉤によって構成することも可能である。
【考案の効果】
【００２０】
本考案の靴下によれば、履き口の周長を調整するための幅調整領域を脚部の一部として形成したことにより、前記脚部を、挿入された足のほぼ全周にわたって面で対向させることができる。
これによって、足の挿入時や、履き口の締め付け力調整を行なう際において、前記脚部と足との引っ掛かりをなくし、足の円滑な挿入、または、円滑な締め付け力調整を行なうことができる。
【図面の簡単な説明】
【００２１】
【図１】本考案の第１の実施形態を示す斜視図である。
【図２】本考案の第２の実施形態を示す斜視図である。
【図３】本考案の第２の実施形態を示す要部の拡大斜視図である。
【図４】本考案の第３の実施形態を示す斜視図である。
【図５】本考案の第３の実施形態を示す要部の拡大斜視図である。
【考案を実施するための形態】
【００２２】
以下、本考案の第１の実施形態を、図１を参照して説明する。
図において符号１は本実施形態に係わる靴下を示す。
この靴下１は、足Ｌの指や甲を覆って装着される甲部１ａと、この甲部１ａの後方に連設され、足Ｌの踵部分を覆って装着される踵部１ｂと、この踵部１ｂの上方に連設され、足Ｌのくるぶしから上方を覆って装着される脚部１ｃとを備えている。
【００２３】
前記脚部１ｃは、その上端部が開放されて前記足Ｌが挿入される履き口１ｄが形成され、また、後方位置で、前記履き口１ｄから下方へ向けて幅調整領域Ａが形成されている。
【００２４】
この幅調整領域Ａは、前記履き口１ｄから下方へ向けて所定長さ形成されているとともに、下方へ行くにしたがい漸次狭まるように略Ｖ字状に形成されている。
【００２５】
また、前記幅調整領域Ａは、たとえば、前記脚部１ｃの、前記領域部分の編み方を変えることによって形成され、前記靴下１の残余の部位に対して連続して形成されている。
好ましくは、靴下１の残余の部位よりも可撓性を良くしておく。
【００２６】
また、前記脚部１ｃの、前記幅調整領域Ａの両側部には、多数の孔（図示略）が前記幅調整領域Ａの長さ方向に間隔をおいて多数形成されている。
【００２７】
これらの、孔には、幅調整用の紐２が挿入されている。
この紐２は、下端部の孔から上方の孔へ向けて順次挿入されているが、一側部の孔と他側部の孔とに交互に挿通され、かつ、その両端部が、前記最上部の一対の孔のそれぞれから前記脚部１ｃの外部へ導かれている。
【００２８】
そして、前記多数の孔と前記紐２によって、本実施形態における係止手段３が構成されている。
【００２９】
図１において、符号４は、前記履き口１ｄに沿って設けられた弾性部を示し、前記靴下１を足Ｌに装着した際にこの足Ｌを締め付けて、前記脚部１ｃのずれを防止するようになっている。
【００３０】
このように構成された本実施形態に係わる靴下１の作用について以下に説明する。
【００３１】
前記靴下１を履く前に、前記係止手段３を構成する前記紐２を緩めて、前記幅調整領域Ａ、および、前記履き口１ｄを広げておく。
【００３２】
これより、前記履き口１ｄから足先より挿入して、前記甲部１ａによって指や甲を覆い、また、前記踵部１ｂによって踵を覆い、さらに、前記脚部１ｃによってくるぶしの上方を覆う。
【００３３】
ついで、前記幅調整領域Ａを狭めて前記脚部１ｃを前記足Ｌに密着させるとともに、その状態で、前記紐２を引いて前記幅調整領域Ａを前述した狭めた状態に保持し、さらに、前記脚部１ｃの上部から突出させられた前記紐２の両端部を結ぶことにより、本靴下１の装着を完了する。
【００３４】
そして、前記幅調整領域Ａを狭める際に、前記弾性部４が伸ばされるように弾性変形させられ、その弾性により、前記履き口１ｄが前記足Ｌを締め付けて前記脚部１ｃのずれ落ちを防止する。
【００３５】
ここで、前記幅調整領域Ａを狭める量を調整することにより、前記足Ｌへの締め付け力を調整することができる。
これによって、使用者の好みに合った締め付け力に調整することができる。
【００３６】
前述したような、足Ｌの挿入時において、前記幅調整領域Ａと前記脚部１ｃのその他の部位が連続して形成されていることにより、挿入される前記足Ｌと引っかかる部位はなく、円滑な挿入が確保される。
【００３７】
また、挿入された前記足Ｌに対し、全周にわたって脚部１ｃが対峙されることとなり、前記幅調整領域Ａを狭める際においても、前記脚部１ｃを前記足Ｌに対し面接触させた状態で折り畳むことができる。
したがって、円滑な締め付け力の調整を可能にするとともに、違和感のない装着感を実現することができる。
【００３８】
なお、前記実施形態において示した各構成部材の諸形状や寸法等は一例であって、設計要求等に基づき種々変更可能である。
【００３９】
たとえば、前記実施形態においては、多数の孔と紐２とによって前記係止手段３を構成した例について示したが、これに代えて、図２および図３に示すように、面ファスナー５によって係止手段６を構成することもできる。
【００４０】
また、図４および図５に示すように、小鉤７によって構成した係止手段８とすることも可能である。
【符号の説明】
【００４１】
１  靴下
１ａ  甲部
１ｂ  踵部
１ｃ  脚部
１ｄ  履き口
２  紐
３  係止手段
４  弾性部
５  面ファスナー
６  係止手段
７  小鉤
８  係止手段
Ａ  幅調整領域
Ｌ  足
【図１】
0003201158.tif 000003
【図２】
0003201158.tif 000004
【図３】
0003201158.tif 000005
【図４】
0003201158.tif 000006
【図５】
0003201158.tif 000007